(57)【要約】【課題】  地震等の震動，衝撃，地盤沈下などによりコンクリートボックスカルバート等間にずれ動きが生じてもインロー嵌合による雌端と雄端間の間隙が拡がることなしに圧入したゴム輪体の圧接を維持し続けて水洩れが生じないようにしたコンクリートボックスカルバートの耐震継手を提供すること。【解決手段】  外面を平坦面とし、内面に外開き傾斜を付し、その外端に向けて漸次薄肉をなした脱型可能なゴム板型枠を周面に付設した内型枠を使用して成形したコンクリートボックスカルバートの雌端２の内面２ａと雄端３の外面３ａとを夫々平坦形にして且つ互いにインロー嵌合の方向と平行するように成形し、地震等により雌端２と雄端３の嵌合部にずれ動きが生じても、雌端２と雄端３の内外面２ａ，３ａ間の隙間４が内外面方向に広がることがなく、ゴム輪体５が内外面２ａ，３ａの双方に圧接し続けように構成した。【選択図】図４
0003111139.tif 000002
【実用新案登録請求の範囲】
【請求項１】
コンクリートボックスカルバートの雌端と雄端とをインロー嵌合させると共に、インロー嵌合部の隙間にゴム輪体を介在させるコンクリートボックスカルバートの耐震継手であって、
コンクリートボックスカルバートの雄端の外面にゴム輪体を埋込みして取付け、
外面を平坦面とし、内面に外開き傾斜を付し、その外端に向けて漸次薄肉をなした脱型可能なゴム板型枠を周面に付設した内型枠を使用して成形したコンクリートボックスカルバートの雌端の内面と雄端の外面とを夫々平坦形にして且つ互いにインロー嵌合の方向と平行するように成形し、
地震等により前記雌端と雄端の嵌合部にずれ動きが生じても、雌端と雄端の内外面間の隙間が内外面方向に広がることがなく、ゴム輪体が内外面の双方に圧接し続けように構成したことを特徴とする、
コンクリートボックスカルバートの耐震継手。
【考案の詳細な説明】
【技術分野】
【０００１】
この考案はコンクリートボックスカルバートの耐震継手に関するものである。
【背景技術】
【０００２】
従来、振動締め固めにより成形されるコンクリートボックスカルバート１は成形後の脱型を容易にするために、図７に示すように、雌端２と雄端３の内面２ａと外面３ａはかなりの傾斜を付して成形しており、雌端２の内面２ａはさらに大きな傾斜を付して成形している。
【考案の開示】
【考案が解決しようとする課題】
【０００３】
従って、隣り合うコンクリートボックスカルバート１の雌端２と雄端３を嵌合し、該嵌合間隙４内のゴム輪体５は当初は内外面に圧着して水封止しているが、地震，衝撃，地盤沈下などによってコンクリートボックスカルバート１にずれ動きが生ずると、図７（ｂ）に示すように傾斜した雌端と雄端の内面２ａと外面３ａが大きく離れて間隙４が拡がり変形するために、ゴム輪体５と内外面２ａ，３ａ間に隙間ができて水洩れを生ずるという課題がある。
【課題を解決するための手段】
【０００４】
本考案は、コンクリートボックスカルバートの耐震継手において、インロー嵌合する雌端の内面と雄端の外面を平坦形面にして且つ互いに平行するように成形して、地震等によりカルバート等の雌雄端間にずれ動きが生じても嵌合間隙の内外面方向への拡がりや変形が防止されて、ゴム輪体と雌雄端の内外面との間で引続き圧着状態を保ち続けるようにして、かかる課題を解決するようにしたのである。
【考案の効果】
【０００５】
本考案はコンクリートボックスカルバートにおいて、インロー嵌合する雌端と雄端の内外面のそれぞれを平坦形にして且つ互いに平行するようにして成形したので、地震等により雌端と雄端の嵌合部にずれ動きが生じても、雌端と雄端の内外両面間の間隙は内外方向に拡がることがなくなるから、内外面間の間隙に圧入しているゴム輪体はなお内外面の双方に圧接し続けて、水洩れを生じさせないという効果を生ずる。
また、ゴム板型枠を雌端成形用に嵌込む内型枠の周面に取付けることによって、雌端の内面を平坦形にして且つ互いに平行するようにしても脱型することができる。尚、ゴム板型枠は繰返して使用することができるので、発泡材などにて形成して脱型の際に破壊してしまう内型枠に較べて著しく経済的である。
【考案を実施するための最良の形態】
【０００６】
振動締め固め工法によりコンクリートボックスカルバート１を成形する。２は開口方向の一側の雌端であり、３は他側の雄端である。雌端２の内面２ａと雄端３の外面３ａをインロー嵌合の方向と平行する平坦形にして且つ互いに平行となるようにして成形するのである。
【０００７】
このうち、雄端３の外面３ａは振動締め固めによる成形の際に外型枠６の当て付けにて成形することができるので、平坦形にて成形しても脱型することが容易であるが、雌端２の内面２ａの成形には内型枠７を嵌付けて成形するので、この内型枠７は全周面をコンクリートが包むこととなるために外開き傾斜がないと脱型が困難となる。
【０００８】
そこで図５乃至図６に示すように内型枠７の周面にゴム板型枠７ａを取付けて、脱型時に該ゴム板型枠７ａの一方を他方に押し付けるなどしてできる隙間を利用して脱型するようにしたのである。なおゴム板型枠７ａは外面を平坦面８、内面に外開き傾斜９を付して内端を部厚部１０、外端に向けて漸次薄肉１１となる形にして脱型しやすくしている。
【０００９】
かようにして振動締め固めにより成形されるコンクリートボックスカルバート１は雌端２の内面２ａも平坦形にして形成することができることとなる。なお脱型の際にゴム板型枠７ａはコンクリートボックスカルバート１の雌端２の内面２ａに張り付いて脱型されることもあるが、ゴム板型枠７ａは無理なく引剥がすことができるので再び内型枠７にセットして次の成形に備えるのである。
【００１０】
しかして隣り合うコンクリートボックスカルバート１，１をインロー嵌合により接続すると、雌端２と雄端３の内外面２ａ，３ａを平坦形にして且つ互いに平行するようにして成形している関係で地震等により雌雄端の嵌合部に図４（ｂ）に示すようなずれ動きが生じても内外面２ａ，３ａ間の間隙４は内外面方向には拡がらず、圧入しているゴム輪体５は引き続き圧入状態を持続して内外面２ａ，３ａとの間で隙間を作らないので、水洩れの生ずることが防止されるものとなる。
【００１１】
ゴム板型枠７ａを雌端成形用に嵌込む内型枠７の周面に取付けることによって、雌端２の内面２ａを平坦形にしても脱型することができる。ゴム板型枠７ａは繰返して使用することができるので、発泡材などにて形成して脱型の際に破壊してしまう内型枠に較べて著しく経済的である。
【００１２】
ゴム輪体５を雄端３の外面３ａに埋込み取付けすることによって外面側からの水洩れの防止を一層向上させることができる。
【００１３】
ゴム輪体５を雄端２の外面２ａに埋込み取付けすることによって外面側からの水洩れの防止を一層向上させることができるという効果を生ずる。
【図面の簡単な説明】
【００１４】
【図１】本考案に係るコンクリートボックスカルバートの雄端側の正面図
【図２】同、縦断側面図
【図３】雄端部分の拡大図
【図４】（ａ）は雌端と雄端を嵌合した状態にて示す当初の部分拡大断面図、（ｂ）は震動等によりずれ動きが生じた時の拡大断面図
【図５】振動締め固めにより成形する状態を示す断面図
【図６】雌端成形部分の拡大図
【図７】従来例図、なお（ｂ）は震動等によるずれ動きにより傾斜した雌端内面と雄端外面間の間隙が拡がってゴム輪体の圧着が解けて隙間から水洩れする状態図
【符号の説明】
【００１５】
１・・・・コンクリートボックスカルバート
２・・・・雌端
２ａ・・・雌端の内面
３・・・・雄端
３ａ・・・雄端の外面
４・・・・間隙
５・・・・ゴム輪体
６・・・・外型枠
７・・・・内型枠
７ａ・・・ゴム板型枠
８・・・・ゴム板型枠外面の平坦面
９・・・・ゴム板型枠内面の外開き傾斜
１０・・・部厚部
１１・・・薄肉部
【図１】
0003111139.tif 000003
【図２】
0003111139.tif 000004
【図３】
0003111139.tif 000005
【図４】
0003111139.tif 000006
【図５】
0003111139.tif 000007
【図６】
0003111139.tif 000008
【図７】
0003111139.tif 000009